(57)【特許請求の範囲】
【請求項１】
底壁と、該底壁の周縁から立ち上げられた枠壁と、該枠壁の側壁の上端縁から張り出されたフランジとを有し、上記底壁と枠壁によって画成された上面において開放せる有底の覆工材成形室と、上記底壁の内底面から上記覆工材成形室内に突出して該覆工材成形室内を区画する目地溝成形用隔壁と、該目地溝成形用隔壁によって区画された上面において開放せる有底の小成形室とを有し、型枠全体が合成樹脂フィルムシートをバックアップ材とし合成ゴムシートを成形面形成材とする両者の積層構造から成り弾性変形可能である覆工材成形用型枠において、合成ゴムシートは上記小成形室の内底面と目地溝成形用隔壁の内表面とが連続する面域において自然岩の岩肌に近似した凹凸地肌成形面を有すると共に、該凹凸地肌成形面を形成する合成ゴムシートの底壁と合成樹脂フィルムシートの底壁が上記凹凸地肌成形面に順応した凹凸形態を有して一体に倣い密着し、且つ、上記枠壁の内側面と外側面とを凹凸地肌成形面に付形しない平滑地肌としたことを特徴とする覆工材成形用複合型枠。
【請求項２】
上記合成樹脂フィルムシートが合成ゴムシートより厚肉のシートから成ることを特徴とする請求項１記載の覆工材成形用複合型枠。
【請求項３】
上記合成樹脂フィルムシートが０．５ｍｍ〜１．０ｍｍの厚みを有するシートから成り、上記合成ゴムシートが０．２ｍｍ〜０．４ｍｍの厚みを有するシートから成ることを特徴とする請求項１又は２記載の覆工材成形用複合型枠。
【発明の詳細な説明】
【技術分野】
【０００１】
本発明は塀や建物の覆工、或いは護岸覆工に用いられる覆工材成形用複合型枠に関する。
【背景技術】
【０００２】
特許文献１には、覆工材の成形用型枠を合成樹脂フィルムシートにて形成し、該合成樹脂フィルムシートから成るフィルム型枠の成形室の内底面に自然岩の凹凸地肌を模した成形面を与え、該成形室内にセメント系成形材を充填することにより該成形室で成形された覆工材の表面に凹凸地肌を成形する技術が開示されている。
【０００３】
又上記先行例では、上記薄肉の合成樹脂フィルムシートから成る内型枠と、厚肉の合成樹脂フィルムシートから成る外型枠とを形成し、該内型枠の成形室の底壁に凹凸形態を与えて該底壁の内底面に凹凸地肌成形面を形成すると共に、上記外型枠に上記成形室と上記凹凸形態に順応する室形態と凹凸形態を与え、上記厚肉の合成樹脂フィルムシートから成る外型枠内に薄肉の合成樹脂フィルムシートから成る内型枠を嵌め込み、成形材の充填圧に対する強度を確保せんとしている。
【特許文献１】特許第２７１６４１３号公報
【発明の開示】
【発明が解決しようとする課題】
【０００４】
然しながら、上記合成樹脂フィルムシートに自然岩を模した凹凸地肌成形面を具有させても、合成樹脂フィルムシートでは覆工材の表面に艶が出てしまう現象が避けられず、この現象により擬岩の風合いを醸成することが困難なる問題点を有している。
【０００５】
又合成樹脂フィルムシート（内型枠）は過度に弾性変形する欠点を有し、仮にこれを外型枠に嵌合しても内型枠の凹凸形態と外型枠の凹凸形態の整合が充分に得られず、結局は内型枠の凹凸地肌が成形材の充填圧にて変形し、凹凸地肌の再現性を損なう問題点を有している。
【０００６】
本発明は覆工材成形型枠の小成形室の内底面と目地溝成形用隔壁の内表面とが連続する面域に自然岩に可及的に近似した凹凸地肌成形面を与えることができ、よって覆工材表面に自然岩に可及的に近似した凹凸地肌模様を成形することができ、更には成形材の充填圧に対し型枠の凹凸地肌成形面の形状を健全に維持して、凹凸地肌の成形が適切に行える覆工材成形用複合型枠を提供するものである。
【０００７】
又本発明は覆工材成形用の型枠全体に所要の強度を与えつつ、脱型に必要な適度な弾性変形性を与える覆工材成形用複合型枠を提供するものである。
【課題を解決するための手段】
【０００８】
本発明に係る覆工材成形用複合型枠は、底壁と、該底壁の周縁から立ち上げられた枠壁と、該枠壁の側壁の上端縁から張り出されたフランジとを有し、上記底壁と枠壁によって画成された上面において開放せる有底の覆工材成形室と、上記底壁の内底面から上記覆工材成形室内に突出して該覆工材成形室内を区画する目地溝成形用隔壁と、該目地溝成形用隔壁によって区画された上面において開放せる有底の小成形室とを有し、型枠全体が合成樹脂フィルムシートをバックアップ材とし合成ゴムシートを成形面形成材とする両者の積層構造から成り弾性変形可能である構造から成る。
【０００９】
上記成形面形成材たる合成ゴムシートは小成形室の内底面と目地溝成形用隔壁の内表面とが連続する面域において凹凸地肌成形面を有すると共に、該凹凸地肌成形面を形成する合成ゴムシートの底壁と合成樹脂フィルムシートの底壁が上記凹凸地肌成形面に順応した凹凸形態を有して一体に倣い密着する構造を有する。更に、上記型枠を構成する枠壁の内側面と外側面とを凹凸地肌成形面に付形しない平滑地肌となす構造を有する。
【００１０】
好ましくは、上記合成樹脂フィルムシートとして、合成ゴムシートより充分に厚肉のシートを使用して、上記積層構造にする。
【００１１】
例えば、上記合成樹脂フィルムシートとしては０．５ｍｍ〜１．０ｍｍの厚みを有するシートを用い、上記合成ゴムシートとしては０．２ｍｍ〜０．４ｍｍの厚みを有するシートを用い、厚肉の合成樹脂フィルムシートで薄肉の合成ゴムシートをバックアップする積層構造にする。
【発明の効果】
【００１２】
本発明に係る上記積層構造の複合型枠によれば、合成ゴム製の限定した肉厚のシート材の適用により、合成ゴムの特性を生かした自然岩の岩肌により近似した凹凸地肌成形面を与えることができると共に、これに積層される合成樹脂製フィルムシートは同様に限定した肉厚のシート材の適用によって、上記合成ゴムシートから成る型枠の凹凸形態と合成樹脂フィルムシートから成る型枠の凹凸形態とが良順性を以って密着し、同凹凸形態と凹凸地肌成形面の形状を適切に保持しバックアップ強度を確保することができ、該複合型枠によって自然岩に可及的に近似した再現性の良好な凹凸地肌模様を有する覆工材を成形することができる。
【００１３】
又本発明によれば、比較的剛性の高い合成樹脂フィルムシートと比較的圧縮弾性を有する合成ゴムシートとの複合構造によって、型枠全体の強度を確保しつつ、型枠全体に脱型に必要な適度な弾性変形性を与えることができる。
【発明を実施するための最良の形態】
【００１４】
以下本発明の実施の形態を図１乃至図８に基づき説明する。
図１、図２に示すように、本発明に係る覆工材成形用複合型枠は、型枠全体が合成樹脂フィルムシート１をバックアップ材とし、合成ゴムシート２を成形面形成材とする両者の積層構造から成る。
【００１５】
上記合成樹脂フィルムシート１はポリプロピレンに代表される熱可塑性樹脂が用いられる。又上記合成ゴムシート２はウレタンゴムに代表される合成ゴム一般を用いることができる。
【００１６】
上記型枠は底壁３と、該底壁３の周縁から立ち上げられた枠壁４と、該枠壁４の側壁の上端縁から張り出されたフランジ５とを有し、上記底壁３と枠壁４によって画成された上面において開放せる有底の覆工材成形室６と、上記底壁３の内底面から上記覆工材成形室６内に突出して該覆工材成形室６内を縦又は／及び横に区画する上記枠壁４よりも低位の目地溝成形用隔壁７と、該目地溝成形用隔壁７によって区画された上面において開放せる有底の小成形室８とを有する。
【００１７】
図１に示す複合型枠は小成形室８が浅い扁平な凹みであり、図２に示す複合型枠は小成形室８が深い椀型凹所である。
【００１８】
上記上面において開放せる成形室６と８を有する覆工材成形用型枠において、型枠全体を合成樹脂フィルムシート１をバックアップ材とし、合成ゴムシート２を成形面形成材とする、合成樹脂フィルムシート１と合成ゴムシート２の積層構造にする。
【００１９】
上記合成ゴムシート２は少なくとも上記小成形室８の内底面において凹凸地肌成形面１１ａを有すると共に、該凹凸地肌成形面１１ａを形成する合成ゴムシート２の底壁３ａと合成樹脂フィルムシート１の底壁３ｂが上記凹凸地肌成形面１１ａに順応した凹凸形態１１ｂを有して両凹凸が一体に倣い密着し、型枠全体が弾性変形可能な覆工材成形用複合型枠を構成する。
【００２０】
即ち、合成樹脂フィルムシート１の底壁３ｂの凹凸形態１１ｂと、合成ゴムシート２の底壁３ａの凹凸形態１１ｂは互いに順応した形態を有し、両凹凸が整合して密着した積層構造を有する。
【００２１】
好ましくは、上記合成樹脂フィルムシート１と合成ゴムシート２とは、合成ゴムシート２をできるだけ薄肉にして、凹凸地肌成形面１１ａの成形性を向上すると共に、合成樹脂フィルムシート１は充分に厚肉にして、その剛性によりバックアップ強度を高める。
【００２２】
例えば、上記合成樹脂フィルムシート１は０．５ｍｍ〜１．０ｍｍの厚みの範囲で選択し、上記合成ゴムシート２は０．２ｍｍ〜０．４ｍｍの厚みの範囲で選択する。
【００２３】
更に具体構造例につき再述すると、上記底壁３と枠壁４とフランジ５と覆工材成形室６と目地溝成形用隔壁７と小成形室８とを有する型枠を形成する合成ゴムシート２は、上記底壁３の内底面（成形室６、８の内底面）３ｃと上記目地溝成形用隔壁７の内表面７ａとが連続する面域において凹凸地肌成形面１１ａに付形する。
【００２４】
これによって成形品たる覆工材１０は図７、図８に示すように、目地溝１４にて区画され且つ小成形室８により成形された各小ブロック９表面と各小ブロック９間の目地溝１４内表面が凹凸地肌模様１１ｃに成形される。
【００２５】
又上記枠壁４の内側面４ａと外側面４ｂを平滑地肌１２とし、更に上記フランジ５の上面５ａと下面５ｂを平滑地肌１２とする。即ち凹凸地肌成形面１１ａに付形しない平滑地肌１２とする。
【００２６】
換言すると、枠壁４を形成する合成ゴムシート２と合成樹脂フィルムシート１の積層壁は内外側面共に平滑地肌１２とし、同様に、フランジ５を形成する合成ゴムシート２と合成樹脂フィルムシート１の積層壁は内外側面共に平滑地肌１２とする。
【００２７】
図５、図６に示すように、上記型枠は上記フランジ下面５ｂの平滑地肌１２を以って、鋼材から成る支持枠１７に安定に支持され、セメントモルタル或いはコンクリートに代表される成形材１５を、上記覆工材成形室６及び小成形室８内に充填し、即ち成形材１５をフランジ５と同レベルの覆工材成形室６の開口面まで充填し、該充填レベルにおいてフランジ上面５ａの平滑地肌１２を基準にコテ均しし、覆工材１０の下面を仕上げる。
【００２８】
上記目地溝１４は覆工材１０の底面に達しない深さであり、各小ブロック９は目地溝１４の底部の覆工材底層部において互いに連結されている。
【００２９】
実施例として、上記覆工材成形室６の開口面に網材を配置して、網材周縁をフランジ上面５ａに支持させ、該網材を覆うように上記成形材１５を打設し、コテ均しすることによって、覆工材１０の底層部全面に網材を埋設することができる。
【００３０】
上記網材は目地溝１４の底部に割れを生じた場合に、各小ブロック９の連結を維持し、各小ブロック９の不陸に順応する屈撓性を発揮せしめる。
【００３１】
上記型枠に投入した成形材１５の硬化後、型枠を弾性変形させつつ脱型し、図７、図８に示すような、目地溝１４にて区画された凹凸地肌模様１１ｃを有する小ブロック９から成り、目地溝１４底部にて連結された覆工材１０を得る。
【００３２】
上記図７に示す覆工材１０は各小ブロック９が方形扁平形状を呈し、塀等の表面覆工材として適する。又図８に示す覆工材１０は各小ブロック９が擬岩塊状を呈し、河川等の護岸覆工に適する。
【００３３】
図１Ａ，Ｂは、図７に示す覆工材１０の成形用型枠を示したものである。又図２Ａ，Ｂは、図８に示す覆工材１０の成形用型枠を示したものである。
【００３４】
次に上記型枠の製造法、適例として真空成形法によって成形する場合について説明する。図３、図４に示すように、熱可塑性の合成ゴムシート２と熱可塑性の合成樹脂フィルムシート１を高温により軟化若しくは可塑化しつつ、合成ゴムシート２を内側にしてマスター型１３の表面に吸引口１６からの真空吸引にて圧着し、マスター型１３表面の凹凸地肌成形面１３ａにて合成ゴムシート２の表面に凹凸地肌成形面１１ａを成形すると共に、合成ゴムシート２の前記底壁３ａと合成樹脂フィルムシート１の前記底壁３ｂに凹凸形態１１ｂを成形する。
【００３５】
上記合成ゴムシート２と合成樹脂フィルムシート１の界面には接着剤が介在され、両者を一体に積層する。例えば、合成ゴムシート２の貼り合わせ面又は合成樹脂フィルムシート１の貼り合わせ面に事前に熱可塑性の低融点接着剤を塗布して置き、上記加熱と真空吸引にて両者１、２を積層する。
【００３６】
又は合成ゴムシート２と合成樹脂フィルムシート１とを母材融着し、一体に積層する。
【００３７】
図３は図１の方形扁平形状の目地割り小ブロック９を有する覆工材１０の成形に用いる型枠の製造法、図４は図２の擬岩塊状の目地割り小ブロック９を有する覆工材１０の成形に用いる型枠の製造法である。
【００３８】
本発明によれば、合成ゴムシート２の適用により自然岩の岩肌により近似した凹凸地肌成形面１１ａを与えることができると共に、上記合成ゴムシート２から成る型枠の凹凸形態に合成樹脂フィルムシート１から成る型枠の凹凸形態を良順性を以って密着させ、同凹凸形態と凹凸地肌成形面１１ａの形状を適切に保持することができ、該複合型枠によって自然岩に可及的に近似した再現性の良好な凹凸地肌模様１１ｃを有する覆工材１０を成形することができ、成形材の充填圧に耐え得る適正な強度と脱型に必要な所要の弾性を得ることができる。
【図面の簡単な説明】
【００３９】
【図１】Ａは覆工材成形用複合型枠の一例を示す平面図、Ｂは同型枠の断面図。
【図２】Ａは覆工材成形用複合型枠の他例を示す平面図、Ｂは同型枠の断面図。
【図３】図１Ａ，Ｂの型枠の製造方法を示す断面図。
【図４】図２Ａ，Ｂの型枠の製造方法を示す断面図。
【図５】図１Ａ，Ｂの型枠を用いた覆工材の成形方法。
【図６】図２Ａ，Ｂの型枠を用いた覆工材の成形方法。
【図７】図１Ａ，Ｂの型枠を用いて成形された覆工材の断面図。
【図８】図２Ａ，Ｂの型枠を用いて成形された覆工材の断面図。
【符号の説明】
【００４０】
１…合成樹脂フィルムシート、２…合成ゴムシート、３…底壁、３ａ…合成ゴムシートの底壁、３ｂ…合成樹脂フィルムシートの底壁、３ｃ…底壁の内底面、４…枠壁、４ａ…枠壁の内側面、４ｂ…枠壁の外側面、５…フランジ、５ａ…フランジの上面、５ｂ…フランジの下面、６…覆工材成形室、７…目地溝成形用隔壁、７ａ…目地溝成形用隔壁の内表面、８…小成形室、９…小ブロック、１０…覆工材、１１ａ…凹凸地肌成形面、１１ｂ…凹凸地肌形態、１１ｃ…凹凸地肌模様、１２…平滑地肌、１３…マスター型、１３ａ…凹凸地肌成形面、１４…目地溝、１５…成形材、１６…吸入口、１７…支持枠
【図１】
0004527052.tif 000002
【図２】
0004527052.tif 000003
【図３】
0004527052.tif 000004
【図４】
0004527052.tif 000005
【図５】
0004527052.tif 000006
【図６】
0004527052.tif 000007
【図７】
0004527052.tif 000008
【図８】
0004527052.tif 000009